(57)【要約】【課題】配線作業が容易にできる開閉装置を提供する。【解決手段】開閉装置は、被取付部を略全長にわたって形成した長手状の枠体１６と、この枠体１６の長手方向に沿って位置する配線４１とを備える。開閉装置は、枠体１６の被取付部の任意位置に対して脱着可能な配線押え体４２を備える。【選択図】        図２
2004360289.tif 000002
【特許請求の範囲】
【請求項１】
枠体と、
この枠体に脱着可能に取り付けられ、前記枠体に配線を押し付ける配線押え体と
を備えることを特徴とする開閉装置。
【請求項２】
被取付部が略全長にわたって形成された長手状の枠体と、
この枠体の長手方向に沿って位置する配線と、
前記枠体の前記被取付部の任意位置に脱着可能に取り付けられ、前記枠体に前記配線を押し付ける配線押え体と
を備えることを特徴とする開閉装置。
【請求項３】
配線押え体は、枠体の長手方向に移動可能となっている
ことを特徴とする請求項２記載の開閉装置。
【請求項４】
枠体と、
この枠体に脱着可能に取り付けられ、配線被巻付部を有する配線被巻付体と
を備えることを特徴とする開閉装置。
【請求項５】
被取付部が略全長にわたって形成された長手状の枠体と、
この枠体の長手方向に沿って位置する配線と、
前記枠体の前記被取付部の任意位置に脱着可能に取り付けられ、配線被巻付部を有する配線被巻付体と
を備えることを特徴とする開閉装置。
【請求項６】
配線被巻付体は、枠体の長手方向に移動可能となっている
ことを特徴とする請求項５記載の開閉装置。
【発明の詳細な説明】
【０００１】
【発明の属する技術分野】
本発明は、配線作業を容易に行うことができる開閉装置に関する。
【０００２】
【従来の技術】
従来、例えば上下方向に長手状の枠体と、この枠体の下端部内に配設された電動ロックと、この電動ロックに接続され枠体の長手方向に沿って位置する配線とを備える開閉装置が知られている（例えば、特許文献１参照。）。
【０００３】
そして、このような開閉装置では、従来から図７および図８に示すように、例えば枠体１に両面粘着テープで貼り付けられた屈曲可能な突片２ａ付きの金属ステッカー２に配線３を止めるようにして配線作業を行っている。
【０００４】
【特許文献１】
実公平６−３１００号公報（第３頁、図４）
【０００５】
【発明が解決しようとする課題】
しかしながら、かかる開閉装置では、突片２ａ付きの金属ステッカー２を用いた配線作業に手間取り、配線作業を容易に行えないおそれがある。
【０００６】
本発明は、このような点に鑑みなされたもので、配線作業を容易に行うことができる開閉装置を提供することを目的とする。
【０００７】
【課題を解決するための手段】
請求項１記載の開閉装置は、枠体と、この枠体に脱着可能に取り付けられ、前記枠体に配線を押し付ける配線押え体とを備えるものである。
【０００８】
そして、枠体に対して脱着可能な配線押え体を備えるものであるため、配線作業を容易に行うことが可能となる。
【０００９】
請求項２記載の開閉装置は、被取付部が略全長にわたって形成された長手状の枠体と、この枠体の長手方向に沿って位置する配線と、前記枠体の前記被取付部の任意位置に脱着可能に取り付けられ、前記枠体に前記配線を押し付ける配線押え体とを備えるものである。
【００１０】
そして、長手状の枠体の被取付部の任意位置に対して脱着可能な配線押え体を備えるものであるため、配線作業を容易に行うことが可能となる。
【００１１】
請求項３記載の開閉装置は、請求項２記載の開閉装置において、配線押え体は、枠体の長手方向に移動可能となっているものである。
【００１２】
そして、配線押え体が枠体の長手方向に移動可能となっているため、配線押え体を移動不能とした場合に比べて、配線作業をより一層容易に行うことが可能となる。
【００１３】
請求項４記載の開閉装置は、枠体と、この枠体に脱着可能に取り付けられ、配線被巻付部を有する配線被巻付体と備えるものである。
【００１４】
そして、枠体に対して脱着可能な配線被巻付体を備えるものであるため、配線作業を容易に行うことが可能となる。
【００１５】
請求項５記載の開閉装置は、被取付部が略全長にわたって形成された長手状の枠体と、この枠体の長手方向に沿って位置する配線と、前記枠体の前記被取付部の任意位置に脱着可能に取り付けられ、配線被巻付部を有する配線被巻付体とを備えるものである。
【００１６】
そして、長手状の枠体の被取付部の任意位置に対して脱着可能な配線被巻付体を備えるものであるため、配線作業を容易に行うことが可能となる。
【００１７】
請求項６記載の開閉装置は、請求項５記載の開閉装置において、配線被巻付体は、枠体の長手方向に移動可能となっているものである。
【００１８】
そして、配線被巻付体が枠体の長手方向に移動可能となっているため、配線被巻付体を移動不能とした場合に比べて、配線作業をより一層容易に行うことが可能となる。
【００１９】
【発明の実施の形態】
本発明の開閉装置の一実施の形態について図１ないし図４を参照して説明する。
【００２０】
図１において、５は窓シャッタ等の開閉装置で、この開閉装置５は、建物等の構築構造物の躯体６に形成された開口部７に沿って昇降してこの開口部７を開閉するシャッタカーテン等の開閉体８を備えている。
【００２１】
また、開閉装置５は、開口部７の開口時に開閉体８が巻体（図示せず）に巻き取られて収容されるシャッタボックス等の収容体９を備えている。この収容体９は、左右方向に長手状に形成され、この収容体９内には開閉体８等を制御する開閉機等の制御手段（図示せず）が配設されている。
【００２２】
さらに、開閉装置５は、互いに離間対向して位置して開閉体８の昇降時にこの開閉体８を案内する左右１対の縦枠１０を備え、これら両縦枠１０の下端側間にわたって下枠１１が配設されている。
【００２３】
ここで、各縦枠１０は、図２ないし図４に示すように、被取付部１５が略全長にわたって形成された上下方向に長手状のレール下地枠である外枠等の枠体１６を有しているとともに、この枠体１６にこの枠体１６に沿って取り付けられた上下方向に長手状のガイドレール１７とを有している。この枠体１６の下端部内には、開口部７の閉鎖時に開閉体８を下限位置にロックする電気部品である電動ロック１８が配設されている（図１参照）。
【００２４】
そして、枠体１６は、躯体６に取り付けられた上下方向に細長い略矩形板状の取付板部２１を有し、この取付板部２１の内面（躯体６側とは反対側の面）が平面状の配線受け面２０となっている。
【００２５】
この取付板部２１の短手方向一端部からは、上下方向に細長い略矩形板状の側板部２２が躯体６から離反する方向に向って一体に突出している。この側板部２２の先端部には、レール被取付部２３が形成されている。
【００２６】
また、この取付板部２１の短手方向他端部からは、上下方向に細長い略矩形板状の側板部である第１側板部２４が躯体６から離反する方向に向って一体に突出している。この第１側板部２４と側板部２２の基端側部分とは、互いに離間対向して平行状に位置する。
【００２７】
さらに、この第１側板部２４の先端部からは、上下方向に細長い略矩形板状の連絡板部２５が開口部７側に向って一体に突出している。また、この連絡板部２５の先端部からは、上下方向に細長い略矩形板状の第２側板部２６が躯体６から離反する方向に向って一体に突出している。この第２側板部２６と側板部２２の先端側部分とは、互いに離間対向して平行状に位置する。また、この第２側板部２６の先端部には、レール被取付部２７が形成されている。
【００２８】
そして、互いに離間対向した側板部２２の内面（対向面）および第１側板部２４の内面（対向面）には、被取付部１５を構成する例えば３対をなす上下方向の突条３０が略全長にわたって一体に突出形成されている。これら３対の突条３０は、配線受け面２０からの距離が１対ごとでそれぞれ異なるように内面の短手方向に間隔をおいて並んだ状態に配置されている。
【００２９】
また、ガイドレール１７は、図３に示されるように、開口部７側に向って開口した断面略コ字状をなすもので、開閉体８の昇降時にこの開閉体８の側縁部を案内するガイド溝部３１がガイドレール１７の略全長にわたって形成されている。また、このガイドレール１７には、２つの取付部３２，３３が形成され、一方の取付部３２が側板部２２のレール被取付部２３に取り付けられ、他方の取付部３３が第２側板部２６のレール被取付部２７に取り付けられている。
【００３０】
また一方、開閉装置５は、縦枠１０の枠体１６内においてこの枠体１６の長手方向（例えば上下方向）に沿って位置する電線等の配線４１と、枠体１６の被取付部１５の任意位置（例えば任意の高さ位置）に脱着可能に取り付けられた配線押え体４２とを備えている。
【００３１】
そして、この配線押え体（ケーブル押えビード）４２は、例えば枠体１６内への押込みによる被取付部１５への取付けにより配線４１の一部を枠体１６の取付板部２１の配線受け面２０に押し付けるもので、枠体１６の被取付部１５に沿って枠体１６の長手方向にスライド移動可能（移動可能）となっている。
【００３２】
ここで、配線４１は、一端側である下端側が縦枠１０の枠体１６内の電動ロック１８に接続され、他端側である上端側が収容体９内の制御手段に接続されている。なお、この配線４１は、各種サイズの開閉装置５に対応できるように余分部分を有する長さ寸法のものである。
【００３３】
また、配線押え体４２は、例えば枠体１６の形状に対応した上下方向にやや長手状の略矩形板状をなすもので、２枚の板部４４とこれら両板部４４を一体に連結した連結部４５とにて構成されている。
【００３４】
この配線押え体４２の両側面には、図４に示されるように、一方の係合部である突条３０に対して係脱可能な他方の係合部である凹部４６が形成されている。そして、凹部４６内に突条３０が挿入され、凹部４６と突条３０とが互いに係合している。
【００３５】
また、この配線押え体４２の取付板部２１の配線受け面２０と対向する側の面には、短手方向に並んだ複数、例えば６本の長手方向に沿った凸部４７が一体に突出形成され、隣り合う凸部４７間に配線４１が配置されている。なお、配線押え体４２の短手方向端部に突出形成された凸部４７および枠体１６に突出形成された突条３０のそれぞれには、配線押え体４２の枠体１６内への押込みが容易となるように湾曲面状の案内面４９が形成されている。
【００３６】
次に、前記開閉装置５の作用等について説明する。
【００３７】
配線押え体４２を縦枠１０の枠体１６に取り付ける場合には、例えば配線押え体４２を折り曲げてまとめた配線４１の余分部分に向けて枠体１６内へ押し込み、配線押え体４２の両側の凹部４６と枠体１６の被取付部１５の選択された一対の突条３０の所望部位とを互いに係合させる。
【００３８】
こうして配線押え体４２を枠体１６の被取付部１５の任意位置に押込みにより取り付けると、この配線押え体４２にて配線４１の余分部分が枠体１６の配線受け面２０に押し付けられて固定される。
【００３９】
また、配線押え体４２を縦枠１０の枠体１６から取り外す場合には、配線押え体４２を枠体１６内から抜き出し、配線押え体４２の凹部４６と枠体１６の被取付部１５の突条３０との係合を解除する。
【００４０】
なお、枠体１６に対する配線押え体４２の取付位置を少しずらす場合は、配線押え体４２を脱着することなく、配線押え体４２を被取付部１５に沿って枠体１６の長手方向にスライド移動させればよい。
【００４１】
そして、この開閉装置５によれば、枠体１６の被取付部１５の任意位置に対して脱着可能でかつ枠体１６の被取付部１５に沿って移動可能な配線押え体４２を備えるものであるため、従来の開閉装置に比べて、配線４１の配線作業を容易に行うことができる。
【００４２】
例えば電動ロック１８に不具合が生じて電動ロック１８を配線４１ごと交換する場合、或いは、開口部７の開口量に変更が生じて配線４１の余分部分の長さを変える場合等に、配線押え体４２を脱着して何度でも配線し直すことができるため、配線４１の配線作業が容易である。
【００４３】
なお、従来の開閉装置の金属ステッカー２では、一度貼り付けた位置から変更できず、また突片２ａで配線３を止め直すと突片２ａが破損するおそれもある。
【００４４】
また、配線押え体４２を枠体１６内への押込みにより枠体１６に取り付けることができるとともに、配線押え体４２を枠体１６内からの抜出しにより枠体１６から取り外すことができるため、配線押え体４２の脱着をきわめて容易にできる。
【００４５】
本発明の開閉装置の他の実施の形態について図５を参照して説明する。
【００４６】
図５に示す開閉装置５ａは、前記開閉装置５の配線押え体４２の代わりに、枠体１６の被取付部１５の任意位置（例えば任意の高さ位置）に脱着可能でかつ被取付部１５に沿って枠体１６の長手方向にスライド移動可能（移動可能）に取り付けられた配線被巻付体５１を備えている。なお、この開閉装置５ａの枠体１６には突条３０が形成されておらず、配線被巻付体５１が圧着により取り付けられる被取付部１５は、第１側板部２４と側板部２２の基端側部分とにて構成されている。
【００４７】
そして、配線被巻付体５１は、例えば枠体１６の形状に対応した上下方向にやや長手状の略矩形板状をなすもので、合成樹脂等からなる本体部５２とこの本体部５２の両側縁部に設けられたゴム等からなる弾性変形部５３とにて構成されている。
【００４８】
この本体部５２の上下端部には切欠部５４が形成されており、本体部５２の両切欠部５４間の部分が配線被巻付部５５となっている。そして、この配線被巻付部５５に配線４１の余分部分が巻き付けられている。
【００４９】
また、この本体部５２の取付板部２１と対向する側の面には、複数、例えば２本の長手方向に沿った凸部５６が一体に突出形成され、両凸部５６間に配線４１が配置されている。なお、開閉装置５ａのその他の構成は前記開閉装置５の構成と基本的に同一である。
【００５０】
そして、この開閉装置５ａによれば、枠体１６の被取付部１５の任意位置に対して脱着可能でかつ枠体１６の被取付部１５に沿って移動可能な配線被巻付体５１を備えるものであるため、開閉装置５と同様、従来の開閉装置に比べて配線４１の配線作業を容易に行うことができる。
【００５１】
また、配線被巻付体５１が枠体１６の長手方向に沿って移動可能となっているので、配線被巻付体５１を移動不能とした場合に比べて配線作業をより一層容易にできるばかりでなく、配線被巻付体５１を移動させることで、配線４１の長さを容易に微調整できる。
【００５２】
また、配線被巻付体５１を枠体１６内に押し込んで弾性変形部５３を弾性変形させて被取付部１５に圧着させることによりその配線被巻付体５１を枠体１６に取り付けることができるとともに、配線押え体４２を枠体１６内から抜き出して弾性変形部５３と被取付部１５との圧着を解除することによりその配線被巻付体５１を枠体１６から取り外すことができるため、配線押え体４２の脱着をきわめて容易にできる。
【００５３】
なお、図６に示すように、複数、例えば２つの配線被巻付体５１の配線被巻付部５５に配線４１を巻き掛けて、両配線被巻付体５１間の離間距離の変更により配線４１の長さを調節できるようにしてもよい。また、図示しないが、１つの配線被巻付体５１を枠体１６の長手方向に伸縮可能な構成として配線４１の長さを調節できるようにしてもよい。
【００５４】
また、配線４１は、電動ロック１８に接続され電動ロック１８による開閉体８のロックを解除するためのロック解除信号（電気）を導くケーブル等の電線には限定されず、例えばテープスイッチからの障害物検知信号、下限リミットスイッチからの開閉体下限検知信号、光センサからの防犯信号等を導く電線でもよく、また、電気以外の例えば空気等の流体、光または音等を導くもの等でもよい。なお、配線４１の途中にコネクタを設けてもよい。
【００５５】
さらに、開口部７の周囲に位置して配線押え体４２および配線被巻付体５１の少なくとも一方が脱着可能に取り付けられる長手状の枠体１６は、長手状のレール下地枠である外枠には限定されず、ガイドレールでもよく、シャッタボックス等の収容体９等でもよく、また、例えば１つの開口部を開閉する複数の開閉体の互いに対向する各対向縁部を案内する中柱等でもよい。
【００５６】
また、配線押え体４２または配線被巻付体５１は、枠体１６の被取付部１５の任意位置に対して脱着可能なものには限定されず、枠体１６の予め決められた所定位置に対して脱着可能なものでもよい。
【００５７】
さらに、開閉装置５，５ａは、躯体６の開口部７周縁部分に固定された窓シャッタには限定されず、例えばその他の開口部周縁部分に固定されたその他のシャッタ装置、雨戸、引戸等のドア装置、ブラインド装置、スクリーン装置等、或いは、これら装置のうちの同種または異種を複数並設したものでもよい。
【００５８】
【発明の効果】
請求項１の発明によれば、枠体に対して脱着可能な配線押え体を備えるものであるため、配線作業を容易に行うことができる。
【００５９】
請求項２の発明によれば、長手状の枠体の被取付部の任意位置に対して脱着可能な配線押え体を備えるものであるため、配線作業を容易に行うことができる。
【００６０】
請求項３の発明によれば、配線押え体が枠体の長手方向に移動可能となっているため、配線押え体を移動不能とした場合に比べて、配線作業をより一層容易に行うことができる。
【００６１】
請求項４の発明によれば、枠体に対して脱着可能な配線被巻付体を備えるものであるため、配線作業を容易に行うことができる。
【００６２】
請求項５の発明によれば、長手状の枠体の被取付部の任意位置に対して脱着可能な配線被巻付体を備えるものであるため、配線作業を容易に行うことができる。
【００６３】
請求項６の発明によれば、配線被巻付体が枠体の長手方向に移動可能となっているため、配線被巻付体を移動不能とした場合に比べて、配線作業をより一層容易に行うことができる。
【図面の簡単な説明】
【図１】本発明の開閉装置の一実施の形態を示す正面図である。
【図２】同上開閉装置の配線押え体の正面図である。
【図３】同上開閉装置の配線押え体の断面図である。
【図４】同上開閉装置の配線押え体の断面図である。
【図５】本発明の開閉装置の他の実施の形態の部分斜視図である。
【図６】本発明の開閉装置のさらに他の実施の形態の概要図である。
【図７】従来の開閉装置の押え金具の正面図である。
【図８】従来の開閉装置の押え金具の断面図である。
【符号の説明】
５，５ａ    開閉装置
１５    被取付部
１６    枠体
４１    配線
４２    配線押え体
５１    配線被巻付体
５５    配線被巻付部
【図１】
2004360289.tif 000003
【図２】
2004360289.tif 000004
【図３】
2004360289.tif 000005
【図４】
2004360289.tif 000006
【図５】
2004360289.tif 000007
【図６】
2004360289.tif 000008
【図７】
2004360289.tif 000009
【図８】
2004360289.tif 000010